【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
記録媒体に画像を印刷する印刷部と、
通信部と、
インターフェース部と、
登録画像データが記憶される記憶部と、
画像データに基づき前記印刷部を制御して印刷させる制御部と、を備え、
前記制御部は、
前記通信部を介して、受信する登録指示データに基づいて、前記記憶部に前記登録画像データを記憶させ、
前記インターフェース部を介して、印刷画像の印刷を指示する制御コマンドを受信し、前記登録画像データが示す登録画像と、前記印刷画像とを重畳して前記画像データを生成することを特徴とする印刷装置。
【請求項２】
前記記憶部は複数の前記登録画像データを記憶し、
前記制御部は、記憶された複数の前記登録画像データのうち、１の前記登録画像データと、前記印刷画像と、を重畳して前記画像データを生成することを特徴とする請求項１に記載の印刷装置。
【請求項３】
前記制御部は、
前記記憶部に記憶された特定のファイル名の前記登録画像データと前記印刷画像と、を重畳して前記画像データを生成し、
前記通信部を介して、前記登録画像データの選択を指示する選択指示データを受信した場合、前記選択指示データにより選択される前記登録画像データを、前記特定のファイル名の前記登録画像データとして前記記憶部に記憶させることを特徴とする請求項２に記載の印刷装置。
【請求項４】
前記制御部は、
前記通信部を介して、前記記憶部に記憶される複数の前記登録画像データを示すユーザーインターフェースに含まれる表示データを送信することを特徴とする請求項２または３に記載の印刷装置。
【請求項５】
前記制御部は、
前記通信部を介して、前記登録画像データの記憶を指示するユーザーインターフェースの表示データを送信することを特徴とする請求項１ないし４のいずれかに記載の印刷装置。
【請求項６】
前記制御部は、
前記登録指示データを生成し、送信する、ブラウザーを備える外部機器と、前記通信部を介して通信し、
前記制御コマンドを生成し、送信する印刷制御装置と、前記インターフェース部を介して通信することを特徴とする請求項１ないし５のいずれかに記載の印刷装置。
【請求項７】
記録媒体に画像を印刷する印刷部と、通信部と、インターフェース部と、記憶部と、を備える印刷装置の制御方法であって、
前記通信部を介して受信した登録指示データに基づいて、前記記憶部に登録画像データを記憶させ、
前記インターフェース部を介して、印刷画像の印刷を指示する制御コマンドを受信し、
前記登録画像データが示す登録画像と、前記印刷画像とを重畳して画像データを生成し、
前記画像データに基づき、前記印刷部に印刷させることを特徴とする印刷装置の制御方法。
【請求項８】
記録媒体に画像を印刷する印刷部と、通信部と、インターフェース部と、記憶部と、を備える印刷装置を制御する制御部により実行されるプログラムであって、
前記制御部に、
前記通信部を介して受信した登録指示データに基づいて、登録画像データを前記記憶部に記憶させるステップと、
前記インターフェース部を介して、印刷画像の印刷を指示する制御コマンドを受信するステップと、
前記登録画像データが示す登録画像と、前記印刷画像とを重畳して画像データを生成するステップと、
前記画像データに基づき前記印刷部に印刷させるステップと、を実行させることを特徴とするプログラム。
【手続補正２】
【補正対象書類名】明細書
【補正対象項目名】０００５
【補正方法】変更
【補正の内容】
【０００５】
上記目的を達成するために、本発明は、印刷装置であって、記録媒体に画像を印刷する印刷部と、通信部と、インターフェース部と、登録画像データが記憶される記憶部と、画像データに基づき前記印刷部を制御して印刷させる制御部と、を備え、前記制御部は、前記通信部を介して、受信する登録指示データに基づいて、前記記憶部に前記登録画像データを記憶させ、前記インターフェース部を介して、印刷画像の印刷を指示する制御コマンドを受信し、前記登録画像データが示す登録画像と、前記印刷画像とを重畳して前記画像データを生成することを特徴とする。
この構成によれば、印刷装置は、第１の通信経路（通信部）を介して、受信した登録指示データに基づいて、登録画像データを記憶する。このため、第２の通信経路（インターフェース部）を介して制御コマンドを送信するソフトウェアに、登録画像データを記憶させる機能を実装させることなく、換言すれば、印刷指示を行うソフトウェアに改変を行うことなく、印刷装置は、記憶した画像データに基づいて、画像を重畳して印刷可能である。
【手続補正３】
【補正対象書類名】明細書
【補正対象項目名】０００６
【補正方法】変更
【補正の内容】
【０００６】
また、本発明は、前記記憶部は複数の前記登録画像データを記憶し、前記制御部は、記憶された複数の前記登録画像データのうち、１の前記登録画像データと、前記印刷画像と、を重畳して前記画像データを生成することを特徴とする。
この構成によれば、用途や、目的に応じて、使用する登録画像データを簡易に変更できる。
【手続補正４】
【補正対象書類名】明細書
【補正対象項目名】０００７
【補正方法】変更
【補正の内容】
【０００７】
また、本発明は、前記制御部は、前記記憶部に記憶された特定のファイル名の前記登録画像データと前記印刷画像と、を重畳して前記画像データを生成し、前記通信部を介して、前記登録画像データの選択を指示する選択指示データを受信した場合、前記選択指示データにより選択される前記登録画像データを、前記特定のファイル名の前記登録画像データとして前記記憶部に記憶させることを特徴とする。
この構成によれば、印刷制御部（制御部）の機能を実現するプログラムは、特定のファイル名の登録画像データを使用する機能が実装されていればよい。すなわち、使用する登録画像データが変更される度に、印刷制御部の機能を実現するプログラムについて、変更を加える必要がない。
【手続補正５】
【補正対象書類名】明細書
【補正対象項目名】０００８
【補正方法】変更
【補正の内容】
【０００８】
また、本発明は、前記制御部は、前記通信部を介して、前記記憶部に記憶される複数の前記登録画像データを示すユーザーインターフェースに含まれる表示データを送信することを特徴とする。
この構成によれば、画像データ処理部（制御部）により提供されるユーザーインターフェースを利用して、登録画像データの選択の指示を簡易に行うことができる。
【手続補正６】
【補正対象書類名】明細書
【補正対象項目名】０００９
【補正方法】変更
【補正の内容】
【０００９】
また、本発明は、前記制御部は、前記通信部を介して、前記登録画像データの記憶を指示するユーザーインターフェースの表示データを送信することを特徴とする。
この構成によれば、画像データ処理部により提供されるユーザーインターフェースを利用して、登録画像データの記憶の指示を簡易に行うことができる。
【手続補正７】
【補正対象書類名】明細書
【補正対象項目名】００１０
【補正方法】変更
【補正の内容】
【００１０】
また、本発明は、前記制御部は、前記登録指示データを生成し、送信する、ブラウザーを備える外部機器と、前記通信部を介して通信し、前記制御コマンドを生成し、送信する印刷制御装置と、前記インターフェース部を介して通信することを特徴とする。
この構成によれば、印刷制御装置とは別の外部機器であって、ブラウザーが搭載された外部機器によって、簡易に、登録画像データの記憶が可能となる。
【手続補正８】
【補正対象書類名】明細書
【補正対象項目名】００１１
【補正方法】変更
【補正の内容】
【００１１】
また、上記目的を達成するために、本発明は、記録媒体に画像を印刷する印刷部と、通信部と、インターフェース部と、記憶部と、を備える印刷装置の制御方法であって、前記通信部を介して受信した登録指示データに基づいて、前記記憶部に登録画像データを記憶させ、前記インターフェース部を介して、印刷画像の印刷を指示する制御コマンドを受信し、前記登録画像データが示す登録画像と、前記印刷画像とを重畳して画像データを生成し、前記画像データに基づき、前記印刷部に印刷させることを特徴とする。
この制御方法によれば、印刷装置は、第１の通信経路を介して、受信した登録指示データに基づいて、登録画像データを記憶する。このため、第２の通信経路を介して制御コマンドを送信するソフトウェアに、登録画像データを記憶させる機能を実装させることなく、換言すれば、印刷指示を行うソフトウェアに改変を行うことなく、印刷装置は、記憶した画像データに基づいて、画像を重畳して印刷可能である。
【手続補正９】
【補正対象書類名】明細書
【補正対象項目名】００１２
【補正方法】変更
【補正の内容】
【００１２】
また、上記目的を達成するために、本発明は、記録媒体に画像を印刷する印刷部と、通信部と、インターフェース部と、記憶部と、を備える印刷装置を制御する制御部により実行されるプログラムであって、前記制御部に、前記通信部を介して受信した登録指示データに基づいて、登録画像データを前記記憶部に記憶させるステップと、前記インターフェース部を介して、印刷画像の印刷を指示する制御コマンドを受信するステップと、前記登録画像データが示す登録画像と、前記印刷画像とを重畳して画像データを生成するステップと、前記画像データに基づき前記印刷部に印刷させるステップと、を実行させることを特徴とする。
このプログラムによれば、印刷装置は、第１の通信経路を介して、受信した登録指示データに基づいて、登録画像データを記憶する。このため、第２の通信経路を介して制御コマンドを送信するソフトウェアに、登録画像データを記憶させる機能を実装させることなく、換言すれば、印刷指示を行うソフトウェアに改変を行うことなく、印刷装置は、記憶した画像データに基づいて、画像を重畳して印刷可能である。